(57)【特許請求の範囲】
【請求項１】
地中埋設管の内部に、該地中埋設管よりも小径で、かつ、管軸芯方向で凸部と凹部とが交互に位置する環状又は螺旋状に形成された管の２本を同時に配設するための管引き込み用治具において、前記２本の管の内部にそれぞれ入り込んで互いの管を引き寄せてそれら管の外面同士が接当した状態で保持することができる一対の挟持部材から構成してなる管引き込み用治具。
【請求項２】
前記各挟持部材に管の引き寄せ動作に伴って該管の内面の凸部と凹部に係止する凹凸部を備えさせてなる請求項１記載の管引き込み用治具。
【請求項３】
前記一対の挟持部材を前記管を引き寄せる方向とほぼ直交する軸芯周りで枢支連結してなる請求項１又は２記載の管引き込み用治具。
【請求項４】
前記一対の挟持部材が、前記軸芯方向で重ね合わせたほぼ同一形状の基端部と、これら基端部それぞれの幅方向外寄りの箇所から先端側に延出され、かつ、前記凹凸部をそれぞれ備えた挟持部とからなり、前記一対の挟持部の挟み込み状態において、少なくとも凹凸部がほぼ同一レベルに位置するように該少なくとも一方の挟持部とこれから延出される基端部とを連結するための連結部を備えてなる請求項１〜３のいずれか１項に記載の管引き込み用治具。
【請求項５】
前記一対の挟持部材にて２本の管を挟み込んだ状態で、管軸方向視において前記管を引き寄せる方向の管の最大外形部分及び該引き寄せる方向とほぼ直交する方向の管の最大外形部分からはみ出すことがない寸法に該挟持部材を設定してなる請求項１〜４のいずれか１項に記載の管引き込み用治具。
【請求項６】
前記一方の基端部の表面に補強用の平板を接当した状態で固定し、前記平板にこの平板との共働により前記管と同一形状又は異なる形状の他の第３の管を挟み込んで固定する補助挟持部材を、該平板に対して離間して管の挟持を解除可能な解除姿勢と該平板に対して接近して管の挟持保持を行う挟持姿勢とに姿勢変更自在に設けてなる請求項４記載の管引き込み用治具。
【請求項７】
前記補助挟持部材の挟持側面の一部又は全部に前記管の内面の凸部と凹部に係止する凹凸部を備えさせてなる請求項６記載の管引き込み用治具。
【請求項８】
請求項６記載又は請求項７記載の管引き込み用治具を用いて３本の管を挟持した状態では、それら各管の軸芯を結んだ形状がほぼ正三角形を画くように設定してなる管引き込み用治具。
【発明の詳細な説明】
【０００１】
【発明の属する技術分野】
本発明は、既存又は敷設中の地中埋設管の内部に、同一径又は異径の複数の管を同時に引き込むために使用する管引き込み用治具に関する。
【０００２】
【従来の技術】
上記のように地中埋設管の内部に管を配設し、その中にケーブルを通すことによって、特に光ファイバー等の重要ケーブルに対して二重の保護を行い、安全性の向上を図ることができるようにしている。
そして、従来、複数の管を地中埋設管内に配設する場合には、例えば図１０に示すように、３本の管３０の先端にそれぞれ、連結用リング部３１を備えた連結金具３２をねじ込んだ後、それら連結用リング部３１にそれらを一体連結して引っ張り操作するための三ツ股状の引っ張り部材３３の各連結フック３４を引っ掛けて、この引っ張り部材３３に結びつけたワイヤー３５をウインチ等の巻き上げ装置（図示せず）にて引っ張ることにより、３本の管３０を一挙に地中埋設管内に引き込むことができるようにしている。
【０００３】
【発明が解決しようとする課題】
上記構成によれば、３本の管３０同士が互いに規制されていないため、３本の管３０を地中埋設管１（図３参照）内に移動させていくと、３本の管３０が互いに違う方向に移動する等、３本の管３０の軸芯方向中間部分で離間したり、捻れてしまい、その結果、移動抵抗が増すだけでなく、捻れたままの管１の中へ通線を行うことが難しいものであった。
【０００４】
本発明が前述の状況に鑑み、解決しようとするところは、スムーズに複数の管を挿入することができ、しかも複数の管の連結作業を迅速に行える管引き込み用治具を提供する点にある。
【０００５】
【課題を解決するための手段】
本発明は、前述の課題解決のために、地中埋設管の内部に、該地中埋設管よりも小径で、かつ、管軸芯方向で凸部と凹部とが交互に位置する環状又は螺旋状に形成された管の２本を同時に配設するための管引き込み用治具において、前記２本の管の内部にそれぞれ入り込んで互いの管を引き寄せてそれら管の外面同士が接当した状態で保持することができる一対の挟持部材から構成している。
従って、２本の管を引き込む場合には、まず２本の管の内部に一対の挟持部材を挿入し、それら一対の挟持部材にて互いの管を引き寄せてそれら管の外面同士が接当した状態で保持させることができる。このように２本の管の先端同士が挟持部材にて隙間の無い状態で一体化された状態で地中埋設管の内部に引き込むことによって、管同士が離間することなく、スムーズな引き込み作業を行うことができる。
【０００６】
前記各挟持部材に管の引き寄せ動作に伴って該管の内面の凸部と凹部に係止する凹凸部を備えさせることによって、管の内面の凸部と凹部を利用してそれらに各挟持部材の凹凸部を係止させることができ、挟持部材が管から外れることを阻止することができる。
【０００７】
前記一対の挟持部材を前記管を引き寄せる方向とほぼ直交する軸芯周りで枢支連結することによって、その軸芯周りで２つの管内に挿入した一対の挟持部材をそれぞれ揺動させるだけで両管を引き寄せることができる。
【０００８】
前記一対の挟持部材が、前記軸芯方向で重ね合わせたほぼ同一形状の基端部と、これら基端部それぞれの幅方向外寄りの箇所から先端側に延出され、かつ、前記凹凸部をそれぞれ備えた挟持部とからなり、前記一対の挟持部の挟み込み状態において、少なくとも凹凸部がほぼ同一レベルに位置するように該少なくとも一方の挟持部とこれから延出される基端部とを連結するための連結部を備えている。
上記のように基端部同士を重ね合わせていることから、基端部の強度を向上させることができる。又、一対の挟持部をほぼ同一レベルに位置させていることから、管への挟持力を一箇所に集中させて管から挟持部を抜け難くすることができる。
【０００９】
前記一対の挟持部材にて２本の管を挟み込んだ状態で、管軸方向視において前記管を引き寄せる方向の管の最大外形部分及び該引き寄せる方向とほぼ直交する方向の管の最大外形部分からはみ出すことがない寸法に該挟持部材を設定することによって、地中埋設管に２本の管を挟み込んで挿入しているときに、挟持部材が地中埋設管内に既に配設された管等の他物に接当することを少なくすることができる。
【００１０】
前記一方の基端部の表面に補強用の平板を接当した状態で固定し、前記平板にこの平板との共働により前記管と同一形状又は異なる形状の他の第３の管を挟み込んで固定する補助挟持部材を、該平板に対して離間して管の挟持を解除可能な解除姿勢と該平板に対して接近して管の挟持保持を行う挟持姿勢とに姿勢変更自在に設けている。
上記のように平板を一方の基端部の表面に固定することによって、基端部の補強を行うことができながらも、補助挟持部材を取り付ける部材とすることができる。
【００１１】
前記補助挟持部材の挟持側面の一部又は全部に前記管の内面の凸部と凹部に係止する凹凸部を備えさせることによって、第３の管が補助挟持部材から外れることを係止作用により阻止することができる。
【００１２】
請求項５記載又は請求項６記載の管引き込み用治具を用いて３本の管を挟持した状態では、それら各管の軸芯を結んだ形状がほぼ正三角形を画くように設定することによって、最もコンパクトな状態で３本の管を一体化することができる。
【００１３】
【発明の実施の形態】
図１に、配設経路に沿って配設された既設の地中埋設管又は敷設中の地中埋設管１の内部に、２本の小径の管２，２を同時に引き込むために用いる管引き込み用治具３を示している。前記管引き込み用治具３の先端に、後述の上下一対の挟持部材７，８の揺動を不能にするために２つの挟持部材７，８を連結するためのシャックル４を取り付け、このシャックル４に回転防止用のスイベル５を介して連結された鋼線６をウインチ等の巻き上げ装置（図示せず）により引き込むようにしている。前記のように引き込まれた管２内に、光ファイバー等の重要ケーブル（図示せず）を挿通させることによって、二重の保護を行うようにしている。前記スイベル５を省略したり、他のものに代えて実施することもできる。前記シャックル４は、図２に示すように、Ｕの字形状のシャックル本体４Ａと、これの一端に形成した貫通孔４Ｂを通した先端雄ネジ部４Ｄを他端に形成の雌ネジ部４Ｃに螺合させて固定するためのシャックルピン（図ではボルト構造のものを示しているが、抜け止めが行えるピン構造のもの等、丸棒構造のものでもよい）４Ｐとからなっているが、他の形態の連結具であってもよい。
【００１４】
前記管２は、図３（ａ），（ｂ）及び図４（ａ），（ｂ）に示すように、正面視円形状（楕円や角形等でもよい）で、かつ、管軸芯方向で凸部２Ａと凹部２Ｂとが交互に位置する環状（螺旋状でもよい）に形成されている。前記凸部２Ａは、図に示すように上端面がフラットな正方形（門型）に形成する他、三角形や半円形又は楕円形あるいは台形等、どのような形状に形成してもよい。
【００１５】
前記管引き込み用治具３は、図２、図３（ａ），（ｂ）及び図４（ａ），（ｂ）に示すように、前記２本の管２，２の内部にそれぞれ入り込んで互いの管２，２を引き寄せてそれら管２，２の先端部外面同士が接当した状態（図３（ｂ）参照）で保持することができる一対の金属製（強度面においてほぼ同等のものであれば他の材料で構成してもよい）の挟持部材７，８からなり、それら一対の挟持部材７，８を上下方向でヒンジボルト（ヒンジピンとも言う）ＰとナットＮで枢支連結している。図２及び図４（ａ），（ｂ）に示すＷは、ワッシャーである。そして、前記シャックル４のシャックルピン４Ｐを緩めてシャックル４を取り外すことによって、一対の挟持部材７，８をヒンジボルト（枢支部材）Ｐの上下（縦）軸芯Ｘ周りで揺動操作することができ、２つの管２，２を引き寄せたり、管２，２の挟持を解除することができるようにしている。前記シャックルピン４Ｐは、六角穴付ボルトや六角ボルトでもよい。尚、前記ヒンジボルトＰに対してナットＮを強く締め付けても、一対の挟持部材７，８が回転不能になるまで両者を締め付けるものではなく、あくまでもヒンジボルトＰが枢支部材となるように構成されている。
前記各挟持部材７，８に、管２，２の引き寄せ動作に伴って管２，２の内面の凸部２Ｃと凹部２Ｄに係止する凹凸部７Ａ，８Ａを備えさせており、挟持部材７，８が容易に管２，２から外れることがないようにしている。前記凹凸部７Ａ，８Ａは、ほぼ山形状の凸部７Ｂ，８Ｂと円弧状の凹部７Ｃ，８Ｃとが長手方向に交互に多数形成されたものであるが、形状及び凸部７Ｂ，８Ｂと凹部７Ｃ，８Ｃの個数は図に示されるもの以外であってもよい。
【００１６】
図２に示すように、前記一対の挟持部材７，８が、前記軸芯Ｘ方向（上下方向）で重ね合わせたほぼ同一形状の基端部９，１０と、これら基端部９，１０それぞれの幅方向外寄りの箇所から延出され、かつ、前記凹凸部７Ａ，８Ａをそれぞれ備えた挟持部１１，１２とからなり、前記一対の挟持部１１，１２の挟み込み状態において、凹凸部７Ａ，８Ａがほぼ同一レベルに位置するように挟持部１１，１２とこれから延出される基端部９，１０とを連結するための斜めに折り曲げられた連結部１３，１４を備えている。ここでは、２つの連結部１３，１４をそれぞれの挟持部材７，８に備えさせることによって、互いに接近する側に斜めに折り曲げる角度を少なくすることができる利点があるが、一方の挟持部材７又は８にのみ連結部を備えさせて実施することもできる。又、前記連結部１３，１４を斜めに折り曲げる他、直角に折り曲げて実施することもできる。前記挟持部材７，８が硬質樹脂等から形成する場合には、形製時に連結部１３，１４を一体形成することができる。
【００１７】
図４（ｂ）に示すように、前記挟持部材７，８にて２本の管２，２を挟み込んだ状態で、管軸方向視において管２，２を引き寄せる方向の管２，２の最大外形部分２Ｅ，２Ｅ及び引き寄せる方向とほぼ直交する方向の管２，２の最大外形部分２Ｆ，２Ｆから挟持部材７，８がはみ出すことがないように挟持部材７，８の寸法を設定して、２本の管２，２を挟持部材７，８にて挟み込んで地中埋設管１内に挿入しているときに、挟持部材７，８が地中埋設管１内に既に配設された管２等の他物に接当することを少なくして、スムーズな管２，２の挿入が行えるようにしている。
【００１８】
前記のように構成された管引き込み用治具３にて２本の管２，２を挟み込んで固定する場合を説明すれば、まず、シャックルピン４Ｐを緩めてシャックル４を管引き込み用治具３から取り外すことにより、フリーとなった２つの挟持部材７，８の先端を少し開いて（図３（ａ）参照）から、挟持部１１，１２を２本の管２，２の内部に挿入する。次に、各挟持部材７，８を管２，２を引き寄せる側に工具等を用いて強制的に揺動操作することにより、図３（ｂ）に示すように、挟持部材７，８の凹凸部７Ａ，８Ａを管２，２の凸部２Ｃ及び凹部２Ｄに強力に係止させた（噛み合わせた）状態にした後、シャックル４を管引き込み用治具３に連結することによって、挟持部材７，８の凹凸部７Ａ，８Ａと管２，２の凸部２Ｃ及び凹部２Ｄとの係止状態を保持させて２本の管２，２を管引き込み用治具３にて挟持保持させるのである。前記のようにヒンジボルト（枢支部材）Ｐに対してシャックル（連結部材）４を挟持部材７，８の長手方向先端部において上下方向に貫通させることにより挟持部材７，８の揺動を不能にする構成とすることで、シャックル４又は挟持部材７，８が変形しない限り挟持部材７，８が開くことがない利点があるが、例えばシャックル４を省略し、前記ヒンジボルトＰとナットＮにより挟持部材７，８をそれら部材７，８同士間の摩擦力により揺動不能に固定する構成としてもよい。
【００１９】
図１〜図４では、２本の管２，２を挟持して地中埋設管１内へ引き込む管引き込み用治具３を示したが、図５〜図９に示すように、３本の管２，２，２を挟持する管引き込み用治具３であってもよい。尚、図５では、管引き込み用治具３の特定部分が見えるようにするために２本の管２，２を挟持している場合を示している。尚、図では、すべての管を同一径のもので示しているが、異なる径を有する管を挟持してもよい。
つまり、図６に示すように、一方の基端部９の表面に補強用の平板１５を接当した状態で４つの六角穴付ボルト１６により着脱自在に固定し、前記平板１５にこの平板１５との共働により前記管２，２と同一形状（異なる形状でもよい）で、かつ、同一の大きさ（挟持可能な大きさであればどのような大きさでもよい）の他の第３の管２を挟み込んで固定する補助挟持部材１７を、平板１５に対して直交する方向（図では上下方向）で離間して管の挟持を解除可能な解除姿勢と平板１５に対して接近して管２の挟持保持を行う挟持姿勢とに六角穴付ボルト１８を用いて姿勢変更自在に設けてある。前記補助挟持部材１７は、前記六角穴付ボルト１８により平板１５に固定される平面視ほぼ長方形状の基端部１９と、この基端部１９よりも左右幅がほぼ半減された平面視ほぼ長方形状を有し、かつ、挟持側面である下面に管２の内面の凸部２Ｃ及び凹部２Ｄに係止する凹凸部２０Ａを備えた先端部２０とから構成している。前記のように基端部９の表面に補強用の平板１５を着脱自在に取り付けることによって、２本の管２，２を挟持する場合には、前記平板１５を取り外して使用することも可能になり、管２を２本と３本のいずれにも挟持することができる管引き込み用治具３を構成することができる利点があるが、前記平板１５を溶接等により基端部９の表面に完全に固定してもよい。図９（ａ）に示すように、３本の管２を挟持した状態では、それら管２，２，２の軸芯２１，２２，２３を結んだ形状（２点鎖線で示す）２４がほぼ正三角形を画くように管引き込み用治具３の寸法を設定している。図５〜図９で説明しなかった他の部材は、図１〜図４で示すものと同一であるため、同一符号を付すと共に説明を省略する。
【００２０】
前記のように構成された管引き込み用治具３にて３本の管２，２，２を挟み込んで固定する場合を説明すれば、前述と同様に、まず、シャックルピン４Ｐを緩めてシャックル４を管引き込み用治具３から取り外すことにより、フリーとなった２つの挟持部材７，８の先端を少し開いてから挟持部１１，１２を２本の管２，２の内部に挿入する。次に、各挟持部材７，８を管２，２を引き寄せる側に工具等を用いて強制的に揺動操作することにより、挟持部材７，８の凹凸部７Ａ，８Ａを管２，２の凸部２Ｃ及び凹部２Ｄに強力に係止させた（噛み合わせた）状態にした後、シャックル４を管引き込み用治具３に連結することによって、挟持部材７，８の凹凸部７Ａ，８Ａと管２，２の凸部２Ｃ及び凹部２Ｄとの係止状態を保持させて２本の管２，２を管引き込み用治具３にて挟持保持させるのである。
この後、前記六角穴付ボルト１８を緩めて補助挟持部材１７の凹凸部２０Ａと平板１５の上面との間に管２を挿入することにより、図９（ｂ）に示すように補助挟持部材１７の凹凸部２０Ａを管２の凸部２Ｃ及び凹部２Ｄに係止させる。次に、前記六角穴付きボルト１８を工具を用いて確実に締め付けて係止状態を保持させ、第３の管２を挟持固定することで、管引き込み用治具３にて３本の管２，２，２を挟持保持させるのである。図９（ｂ）では、第３の管２の挟持位置を他の２本の管２，２よりも引っ張り側（先端側）に位置させることによって、２本の管２，２を挟持固定した後、３本目の管２の挟持固定を容易に行える利点があるが、３本とも同一の挟持位置であってもよい。
【００２１】
【発明の効果】
請求項１によれば、管引き込み用治具を、２本の管の内部にそれぞれ入り込んで互いの管を引き寄せてそれら管の外面同士が接当した状態で保持することができる一対の挟持部材から構成することによって、２本の管を隙間のない状態で連結保持させた状態でスムーズに地中埋設管内に挿入することができるだけでなく、２本の管を挟み込むだけで両管を連結することができる連結作業の迅速化を図ることができる管引き込み用治具を提供することができる。
【００２２】
請求項２によれば、各挟持部材に管の引き寄せ動作に伴って管の内面の凸部と凹部に係止する凹凸部を備えさせることによって、管の内面の凸部と凹部を利用してそれらに各挟持部材の凹凸部を係止させることができ、摩擦力で外れ防止を行うものに比べて、挟持部材が管から外れることを確実に阻止することができる。
【００２３】
請求項３によれば、一対の挟持部材を管を引き寄せる方向とほぼ直交する軸芯周りで枢支連結することによって、その軸芯周りで２つの管内に挿入した一対の挟持部材をそれぞれ揺動させるだけで両管を引き寄せることができ、スライドさせて引き寄せる構成の場合に比べて作業を迅速に行うことができる。
【００２４】
請求項４によれば、基端部同士を重ね合わせていることから、基端部の強度を向上させることができ、その分肉厚を薄くして軽量化を図ることができる。又、一対の挟持部をほぼ同一レベルに位置させていることから、管への挟持力を一箇所に集中させて管から挟持部を抜け難くすることができ、信頼性の高いものに構成することができる。
【００２５】
請求項５によれば、一対の挟持部材にて２本の管を挟み込んだ状態で、管軸方向視において管を引き寄せる方向の管の最大外形部分及び該引き寄せる方向とほぼ直交する方向の管の最大外形部分から該挟持部材がはみ出すことがない寸法に設定することによって、地中埋設管に２本の管を挟み込んで挿入しているときに、挟持部材が地中埋設管内に既に配設された管等の他物に接当することを少なくすることができ、管との挟持状態が解除されることのない信頼性の高いものにすることができる。
【００２６】
請求項６によれば、平板を一方の基端部の表面に固定することによって、基端部の補強を行うことができながらも、補助挟持部材を取り付ける部材とすることができ、部材の兼用化によるコスト低減を図ることができる。又、前記平板を一方の基端部の表面に着脱自在に固定しておけば、平板を取り外して使用することもできる。
【００２７】
請求項７によれば、補助挟持部材の挟持側面の一部又は全部に管の内面の凸部と凹部に係止する凹凸部を備えさせることによって、第３の管が補助挟持部材から外れることを係止作用により阻止することができ、摩擦力で外れ防止を行うものに比べて信頼性の向上を図ることができる。
【００２８】
請求項８によれば、請求項５記載又は請求項６記載の管引き込み用治具を用いて３本の管を挟持した状態では、それら各管の軸芯を結んだ形状がほぼ正三角形を画くように設定することによって、最もコンパクトな状態で３本の管を一体化することができ、引き込み時に他物との接当が少なく、外れ難い信頼性の向上及び取扱面の向上を図ることができる。
【図面の簡単な説明】
【図１】２本の管を管引き込み用治具にて挟持して地中埋設管内に挿入する直前の状態を示す斜視図である。
【図２】管引き込み用治具の分解斜視図である。
【図３】（ａ）は、２本の管を管引き込み用治具にて挟持する直前の状態を示す一部断面にした平面図、（ｂ）は、２本の管を管引き込み用治具にて挟持した状態を示す一部断面にした平面図である。
【図４】（ａ）は、２本の管を管引き込み用治具にて挟持した状態を示す一部断面にした側面図、（ｂ）は、２本の管を管引き込み用治具にて挟持した状態を示す一部断面にした正面図である。
【図５】３本の管を挟持可能な管引き込み用治具にて２本の管を挟持して地中埋設管内に挿入する直前の状態を示す斜視図である。
【図６】図５で示した管引き込み用治具の分解斜視図である。
【図７】図５で示した管引き込み用治具を示し、（ａ）は、それの側面図、（ｂ）は、それの縦断側面図である。
【図８】図５で示した管引き込み用治具を示し、（ａ）は、それの背面図、（ｂ）は、それの平面図である。
【図９】図５で示した管引き込み用治具にて３本の管を挟持した状態を示し、（ａ）は、それの正面図、（ｂ）は、それの側面図である。
【図１０】従来の管引き込み用治具を示す平面図である。
【符号の説明】
１  地中埋設管        ２  管
２Ａ，２Ｃ  凸部      ２Ｂ，２Ｄ  凹部
２Ｅ，２Ｆ  最大外形部分
３  管引き込み用治具  ４  シャックル
４Ａ  シャックル本体  ４Ｂ  貫通孔
４Ｃ  雌ネジ部        ４Ｄ  先端雄ネジ部
４Ｐ  シャックルピン  ５  スイベル
６  鋼線              ７，８  挟持部材
７Ａ，８Ａ  凹凸部    ７Ｂ，８Ｂ  凸部
７Ｃ，８Ｃ  凹部      ９，１０  基端部
１１，１２  挟持部    １３，１４  連結部
１５  平板            １６  六角穴付ボルト
１７  補助挟持部材    １８  六角穴付ボルト
１９  基端部          ２０  先端部
２０Ａ  凹凸部        ２１，２２，２３  軸芯
２４  形状            ３０  管
３１  連結用リング部  ３２  連結金具
３３  引っ張り部材    ３４  連結フック
３５  ワイヤー        Ｐ  ヒンジボルト
Ｎ  ナット            Ｗ  ワッシャー
【図１】
0004594548.tif 000002
【図２】
0004594548.tif 000003
【図３】
0004594548.tif 000004
【図４】
0004594548.tif 000005
【図５】
0004594548.tif 000006
【図６】
0004594548.tif 000007
【図７】
0004594548.tif 000008
【図８】
0004594548.tif 000009
【図９】
0004594548.tif 000010
【図１０】
0004594548.tif 000011